【手続補正書】
【提出日】平成18年8月17日(2006.8.17)
【手続補正１】
【補正対象書類名】明細書
【補正対象項目名】特許請求の範囲
【補正方法】変更
【補正の内容】
【特許請求の範囲】
【請求項１】  双方向番組ガイドを用いる方法であって、
該方法は、
視聴履歴を格納することであって、該視聴履歴は、少なくとも１人のユーザに対する該双方向番組ガイドとの相互操作であって、モニタされた相互操作を含む、ことと、
該視聴履歴に基づいて、該少なくとも１人のユーザがまだ見ていない番組を識別することと、
該少なくとも１人のユーザがまだ見ていない番組を含む少なくとも１つのリスト項目を表示することと
を包含する、方法。
【請求項２】  前記表示された少なくとも１つのリスト項目は、推奨された番組のリスト項目を含む、請求項１に記載の方法。
【請求項３】  前記推奨された番組のリスト項目は、前記少なくとも１人のユーザのユーザ選好プロフィールを満たす番組のリスト項目を含む、請求項２に記載の方法。
【請求項４】  前記推奨された番組のリスト項目は、前記少なくとも１人のユーザの視聴履歴に一致する番組のリスト項目を含む、請求項２に記載の方法。
【請求項５】  前記表示された少なくとも１つのリスト項目における番組の一部は、視覚的に識別される、請求項１に記載の方法。
【請求項６】  前記一部は、適切なアイコンを表示するか、または、該一部の表示特性を変更することにより、視覚的に識別される、請求項５に記載の方法。
【請求項７】  前記表示された少なくとも１つのリスト項目は、前記少なくとも１人のユーザがまだ見ていない、シリーズ内の少なくとも１つのエピソードのリスト項目を含む、請求項１に記載の方法。
【請求項８】  前記少なくとも１人のユーザがまだ見ていない番組は、番組リスト項目データベースを用いて決定される、請求項１に記載の方法。
【請求項９】  前記視聴履歴は、データベースに格納される、請求項１に記載の方法。
【請求項１０】  前記モニタされた相互操作は、前記少なくとも１人のユーザが見た番組との相互操作、該少なくとも１人のユーザが注文した番組との相互操作、該少なくとも１人のユーザが録画のために設定した番組との相互操作、該少なくとも１人のユーザがリマインダをスケジュールした番組との相互操作、または、該少なくとも１人のユーザが検索した番組との相互操作、または、該少なくとも１人のユーザが番組と相互操作した時間の長さを含む、請求項１に記載の方法。
【請求項１１】  前記表示された少なくとも１つのリスト項目は、前記少なくとも１人のユーザが見た番組を含む、請求項１に記載の方法。
【請求項１２】  双方向番組ガイドを用いるシステムであって、
該システムは、
視聴履歴を格納する手段であって、該視聴履歴は、少なくとも１人のユーザに対する該双方向番組ガイドとの相互操作であって、モニタされた相互操作を含む、手段と、
該視聴履歴に基づいて、該少なくとも１人のユーザがまだ見ていない番組を識別する手段と、
該少なくとも１人のユーザがまだ見ていない番組を含む少なくとも１つのリスト項目を表示する手段と
を含む、システム。
【請求項１３】  前記少なくとも１つのリスト項目を表示する手段は、推奨された番組のリスト項目を表示する手段を含む、請求項１２に記載のシステム。
【請求項１４】  前記推奨された番組のリスト項目を表示する手段は、前記少なくとも１人のユーザのユーザ選好プロフィールを満たす番組のリスト項目を表示する手段を含む、請求項１３に記載のシステム。
【請求項１５】  前記推奨された番組のリスト項目を表示する手段は、前記少なくとも１人のユーザの視聴履歴に一致する番組のリスト項目を表示する手段を含む、請求項１３に記載のシステム。
【請求項１６】  前記表示された少なくとも１つのリスト項目における番組の一部を視覚的に識別する手段をさらに含む、請求項１２に記載のシステム。
【請求項１７】  前記一部を視覚的に識別する手段は、適切なアイコンを表示するか、または、該一部の表示特性を変更することにより、該一部を視覚的に識別する手段を含む、請求項１６に記載のシステム。
【請求項１８】  前記少なくとも１つのリスト項目を表示する手段は、前記少なくとも１人のユーザがまだ見ていない、シリーズ内の少なくとも１つのエピソードのリスト項目を表示する手段を含む、請求項１２に記載のシステム。
【請求項１９】  前記少なくとも１人のユーザがまだ見ていない番組を決定するために、番組リスト項目データベースにアクセスする手段をさらに含む、請求項１２に記載のシステム。
【請求項２０】  前記視聴履歴をデータベースに格納する手段をさらに含む、請求項１２に記載のシステム。
【請求項２１】  前記視聴履歴を格納する手段は、前記少なくとも１人のユーザが見た番組、該少なくとも１人のユーザが注文した番組、該少なくとも１人のユーザが録画のために設定した番組、該少なくとも１人のユーザがリマインダをスケジュールした番組、または、該少なくとも１人のユーザが検索した番組、または、該少なくとも１人のユーザが番組と相互操作した時間の長さをモニタする手段を含む、請求項１２に記載のシステム。
【請求項２２】  前記少なくとも１つのリスト項目を表示する手段は、前記少なくとも１人のユーザが見た番組の少なくとも一部を含む少なくとも１つのリスト項目を表示する手段を含む、請求項１２に記載のシステム。
【請求項２３】  双方向番組ガイドを用いる方法であって、
該方法は、
視聴履歴を格納することであって、該視聴履歴は、少なくとも１人のユーザに対する該双方向番組ガイドとの相互操作であって、モニタされた相互操作を含む、ことと、
該視聴履歴に基づいて、該少なくとも１人のユーザがリマインダをまだスケジュールしていない番組を識別することと、
該少なくとも１人のユーザがリマインダをまだスケジュールしていない番組を含む少なくとも１つのリスト項目を表示することと
を包含する、方法。
【請求項２４】  双方向番組ガイドを用いる方法であって、
該方法は、
視聴履歴を格納することであって、該視聴履歴は、少なくとも１人のユーザに対する該双方向番組ガイドとの相互操作であって、モニタされた相互操作を含む、ことと、
該視聴履歴に基づいて、該少なくとも１人のユーザが録画のためにまだスケジュールしていない番組を識別することと、
該少なくとも１人のユーザが録画のためにまだスケジュールしていない番組を含む少なくとも１つのリスト項目を表示することと
を包含する、方法。
【請求項２５】  双方向番組ガイドを用いるシステムであって、
該システムは、
視聴履歴を格納する手段であって、該視聴履歴は、少なくとも１人のユーザに対する該双方向番組ガイドとの相互操作であって、モニタされた相互操作を含む、手段と、
該視聴履歴に基づいて、該少なくとも１人のユーザがリマインダをまだスケジュールしていない番組を識別する手段と、
該少なくとも１人のユーザがリマインダをまだスケジュールしていない番組を含む少なくとも１つのリスト項目を表示する手段と
を含む、システム。
【請求項２６】  双方向番組ガイドを用いるシステムであって、
該システムは、
視聴履歴を格納する手段であって、該視聴履歴は、少なくとも１人のユーザに対する該双方向番組ガイドとの相互操作であって、モニタされた相互操作を含む、手段と、
該視聴履歴に基づいて、該少なくとも１人のユーザが録画のためにまだスケジュールしていない番組を識別する手段と、
該少なくとも１人のユーザが録画のためにまだスケジュールしていない番組を含む少なくとも１つのリスト項目を表示する手段と
を含む、システム。